(57)【要約】【課題】機械的な配線検査の検査精度をさらに向上させた配線検査システムおよび配線検査方法を提供する。【解決手段】配線検査システム１０は、配線４が結線される端子台ＴＢに接続される通電ケーブル５から電圧を印加する電圧印加部１１ａと、電圧印加箇所が通電したか否かを判定する通電判定部１１ｂと、配線ＤＢ１８から端子台間の配線接続情報を読み出して、前記端子台間の各配線４の一覧を示す画像を生成するとともに、電圧印加部１１ａと通電判定部１１ｂとを制御し、前記画像が示す各配線４の一覧から選択された配線４について、電圧印加部１１ａに電圧を印加させて通電しているか否かの判定結果を通電判定部１１ｂから受け取り、判定結果を示す画像を生成する制御部１１ｅとを具備する。【選択図】  図１
2016133410.tif 000002
【特許請求の範囲】
【請求項１】
図面通りに配線されているかが検査される制御盤に配設される端子台に接続されるケーブルから電圧を印加する電圧印加部と、
前記電圧が印加された箇所が通電したか否かを判定する通電判定部と、
前記検査される制御盤に配設される端子台間の配線接続情報を有する配線データベースから当該配線接続情報を読み出して、前記検査を行う端子台間の各配線の一覧を示す画像を生成するとともに、前記電圧印加部と前記通電判定部とを制御し、前記画像に含まれる各配線の一覧から選択された配線について、前記電圧印加部に電圧を印加させて通電しているか否かの判定結果を前記通電判定部から受け取り、前記判定結果を示す画像を生成する制御部とを具備することを特徴とする配線検査システム。
【請求項２】
前記制御部は、前記検査される制御盤に配設される端子台の位置情報を有するロケーションデータベースから当該位置情報を読み出して、前記検査を行う端子台間の各配線の位置を示す画像を生成するように構成されることを特徴とする請求項１記載の配線検査システム。
【請求項３】
前記制御部は、前記検査を行う端子台間の各配線のうち、少なくとも検査中の配線を強調して表示するように構成されることを特徴とする請求項１または２記載の配線検査システム。
【請求項４】
前記端子台間の各配線について検査する配線検査装置と、前記配線検査装置を制御する機能を有する計算機とを具備し、
前記電圧印加部および前記通電判定部は、前記配線検査装置に実装され、
前記制御部は、前記計算機に実装され、
前記配線データベースは、前記計算機がアクセス可能な記憶領域に保持される、ことを特徴とする請求項１から３の何れか１項に記載の配線検査システム。
【請求項５】
前記電圧印加部と、前記通電判定部と、ユーザからの入力を受け付ける入力部と、情報をユーザに表示する表示部とを備え、前記配線検査装置と接続可能に構成される配線検査補助端末をさらに具備し、
前記配線検査補助端末は、前記検査を行う前記端子台に前記ケーブルを介して接続され、前記配線検査補助端末が備える前記電圧印加部および前記通電判定部を動作させて前記検査を行い、検査結果を前記配線検査装置および前記計算機へ伝送するように構成され、
前記配線検査装置は、前記配線検査補助端末が接続されている場合、前記配線検査装置が備える前記電圧印加部および前記通電判定部の機能を停止させる機能を有することを特徴とする請求項４記載の配線検査システム。
【請求項６】
前記配線検査補助端末は、前記入力部と前記表示部を有するタッチパネルを備えることを特徴とする請求項５記載の配線検査システム。
【請求項７】
前記検査される制御盤に配設される端子台に設けられるチェック用接続口に接続され、与えられる通電先の切替指令に基づいて、接続されるチェック用接続口に対応する配線接続口のうち通電させる配線接続口を切り替えるアダプタをさらに具備することを特徴とする請求項１から６の何れか１項に記載の配線検査システム。
【請求項８】
前記アダプタは、電圧の入力部と前記チェック用接続口の各々と嵌め合いの関係にある接続ピンの各々とそれぞれ接続される出力端を有する出力部の前記出力端の何れか一つとを電気的に接続するスイッチを備え、前記スイッチは、前記入力部と電気的に接続される前記出力部の前記出力端を、前記切替指令に基づく一つに切替自在に構成されることを特徴とする請求項７に記載の配線検査システム。
【請求項９】
前記アダプタは、電圧の入力部と前記入力部に入力された前記電圧を前記チェック用接続口の各々と嵌め合いの関係にある接続ピンの各々とそれぞれ接続される出力端を有する出力部の前記出力端の何れか一つとを電気的に接続するスイッチと、
前記スイッチが前記入力部と電気的に接続される前記出力端を、与えられる前記切替指令に基づき、前記出力端の全てから一つ選択する切替制御部と、を備えることを特徴とする請求項７に記載の配線検査システム。
【請求項１０】
電圧印加部が、図面通りに配線されているかが検査される制御盤に配設される端子台に接続されるケーブルから電圧を印加するステップと、
前記通電判定部が、前記電圧が印加された箇所が通電したか否かを判定する通電判定ステップと、
前記制御部が、記憶部に保持される前記検査される制御盤に配設される端子台間の配線接続情報を有する配線データベースから当該配線接続情報を読み出して、前記検査を行う端子台間の各配線の一覧を示す画像を生成するとともに、前記電圧印加部および前記通電判定部を制御し、前記画像に含まれる各配線の一覧から選択された配線について、前記電圧印加部に電圧を印加させて通電しているか否かの判定結果を前記通電判定部から受け取り、前記判定結果を示す画像を生成するステップとを備えることを特徴とする配線検査方法。
【発明の詳細な説明】
【技術分野】
【０００１】
本発明の実施形態は、配線検査システムおよび配線検査方法に関するものである。
【背景技術】
【０００２】
原子力発電所を監視制御するための監視制御システムは、複数の装置（例えば、電源、シーケンサ、リレーユニット、警報装置、センサ等）で構成される。監視制御システムを構成する装置間の接続は、制御盤内に設置される端子台を経由して接続することが一般的である。端子台は、複数の端子を有しており、当該端子に配線を接続することによって、例えば、電源分岐、複数のユニット間の渡り、制御盤外からのケーブル接続などが実現される。
【０００３】
制御盤内には、多くの端子台が設置されており、端子台間のケーブル接続数も多い。接続容易化の観点から端子台および装置間の配線はケーブル化されていることが多いが、端子台間のケーブル接続は、制御盤毎に異なる。従って、個々の制御盤製造時に、配線接続図に基づいて配線している。
【０００４】
装置間の配線の誤接続は、監視制御システムの故障のみならず、原子力発電所の運転の影響を与える可能性があるため、装置間で経由される端子台間の配線の誤接続を防ぐことは重要である。配線の誤接続を防止する観点から、制御盤製造終了後には、設計者が作成した配線図と実際に配線されている製品（制御盤）とを比べて配線図通りに配線がなされているかを確認する作業が実施されている。
【０００５】
実際の配線の接続状態が配線図通りであるかの確認作業については、目視または配線チェッカーなどの検査端末を用いて配線の接続状態を確認し、配線図を塗りつぶしていくなど、マンパワーを要する作業により行われている。従って、配線の接続状態を確認する作業での作業者の負担は小さくない。このような作業者の負担軽減などの観点から、配線の接続状態を機械的に判定して検査する検査システムが提案されている。
【０００６】
例えば、配線検査システムは、端子台に結線されるケーブルに取り付けられた識別表示用の２次元コード（タグ）と結線位置表示用の２次元コード（タグ）とを、撮像してデジタル画像を取得し、このデジタル画像を画像処理することにより、ケーブルとケーブル結線位置との関係を求め、実際に配線されている状態を示す配線図（結線図）を作成し、作成される配線図と設計時に作成された配線図（結線図）とを突き合わせてケーブル結線の正誤を判断している。
【先行技術文献】
【特許文献】
【０００７】
【特許文献１】特開２０１４−９３８７０号公報
【発明の概要】
【発明が解決しようとする課題】
【０００８】
しかしながら、上述した配線検査システムを用いたとしても、２次元コードが表示されるタグを貼付するのは人であり、このタグ自体を貼り間違えてしまうとシステム上は正しく配線接続がなされていると判断していても、実際には配線の誤接続が生じてしまうことになる。すなわち、上述した配線検査システムを用いたとしても、タグ自体を貼り間違えてしまうといったヒューマンエラーの発生に起因する配線の誤接続を防止することは極めて困難であるという点で課題がある。
【０００９】
また、上述した配線検査システムを用いた場合、実際の配線の接続状態は視覚的に判断されるため、視覚的にはケーブルが所定の端子に接続されているように見えている場合、システム上は正しく配線接続がなされていると判断してしまう。従って、視覚的にはケーブルが所定の端子に接続されているように見えているが、実際には接続されるべき端子との間で接触不良が生じている場合や端子に接続されるべきケーブルが断線している場合、上述した配線検査システムでは正しく配線接続がなされていると誤判断してしまうという点で課題がある。
【００１０】
本発明の実施形態は、上述した事情を考慮してなされたものであり、機械的な配線検査の検査精度をさらに向上させた配線検査システムおよび配線検査方法を提供することを目的とする。
【課題を解決するための手段】
【００１１】
本実施形態に係る配線検査システムは、上述した課題を解決するため、図面通りに配線されているかが検査される制御盤に配設される端子台に接続されるケーブルから電圧を印加する電圧印加部と、前記電圧が印加された箇所が通電したか否かを判定する通電判定部と、前記検査される制御盤に配設される端子台間の配線接続情報を有する配線データベースから当該配線接続情報を読み出して、前記検査を行う端子台間の各配線の一覧を示す画像を生成するとともに、前記電圧印加部と前記通電判定部とを制御し、前記画像に含まれる各配線の一覧から選択された配線について、前記電圧印加部に電圧を印加させて通電しているか否かの判定結果を前記通電判定部から受け取り、前記判定結果を示す画像を生成する制御部とを具備することを特徴とする。
【００１２】
本実施形態に係る配線検査方法は、上述した課題を解決するため、電圧印加部が、図面通りに配線されているかが検査される制御盤に配設される端子台に接続されるケーブルから電圧を印加するステップと、前記通電判定部が、前記電圧が印加された箇所が通電したか否かを判定する通電判定ステップと、前記制御部が、記憶部に保持される前記検査される制御盤に配設される端子台間の配線接続情報を有する配線データベースから当該配線接続情報を読み出して、前記検査を行う端子台間の各配線の一覧を示す画像を生成するとともに、前記電圧印加部および前記通電判定部を制御し、前記画像に含まれる各配線の一覧から選択された配線について、前記電圧印加部に電圧を印加させて通電しているか否かの判定結果を前記通電判定部から受け取り、前記判定結果を示す画像を生成するステップとを備えることを特徴とする。
【発明の効果】
【００１３】
本実施形態によれば、機械的な配線検査の検査精度をさらに向上させることができる。
【図面の簡単な説明】
【００１４】
【図１】実施形態に係る配線検査システムのハードウェア構成を配線検査される対象と共に示した概略図。
【図２】実施形態に係る配線検査システムの被検査対象としての配線が接続（結線）される端子台の構成を示す概略図。
【図３】実施形態に係る配線検査システムの制御手段の機能ブロック図。
【図４】実施形態に係る配線検査システムで表示される配線検査画像の一例を示す説明図。
【図５】実施形態に係る配線検査システムで表示されるロケーション画像の一例を示す説明図。
【図６】実施形態に係る配線検査システムで適用されるアダプタを説明する説明図であり、（Ａ）がアダプタの端子台への取付状態を示す概略図、（Ｂ）がアダプタの構成を示す概略図。
【図７】実施形態に係る配線検査方法の一例である配線検査手順の処理フロー図。
【発明を実施するための形態】
【００１５】
以下、本発明の実施形態に係る配線検査システムおよび配線検査方法について、図面を参照して説明する。
【００１６】
図１は実施形態に係る配線検査システムの一例である配線検査システム１０のハードウェア構成を配線検査される対象（被検査対象）と共に示した概略図である。
【００１７】
配線検査システム１０（図１）は、例えば、配線検査を行う配線検査端末（主端末）１１と、この配線検査端末１１と同等の機能を有する配線検査補助端末（補助端末）１２と、配線検査端末１１および配線検査補助端末１２の動作を制御するパーソナルコンピュータ（以下、単に「ＰＣ」とする。）１３などの計算機とを具備する。図１に例示される配線検査システム１０において、配線検査される対象（被検査対象）は制御盤１内に配設される端子台間の配線４である。
【００１８】
配線検査システム１０では、通電ケーブル５を、それぞれ、異なる二つの端子台に接続し、接続した二つの端子台間の配線について、配線検査を行う。なお、配線検査システム１０によって配線検査される端子台は、図２に例示されるようなチェック用接続口３などの通電ケーブル５を接続可能な接続部を有する端子台ＴＢ１〜ＴＢ３を対象とする。これは、配線検査システム１０が、通電ケーブル５に電圧を印加することで、チェック用接続口３を介して通電ケーブル５が接続される端子台間での通電状況をチェックするためである。
【００１９】
図２は制御盤１内に配設される端子台ＴＢ（ＴＢ１，ＴＢ２，ＴＢ３）の構成を示す概略図である。なお、図２に示される符号＃１〜＃８は、端子台ＴＢに設けられる配線接続口２ａ，２ｂおよび配線検査時に使用されるチェック用接続口３の接続口番号である。配線接続口２ａ，２ｂとチェック用接続口３とは同じ接続口番号が対応している。
【００２０】
図２に示される制御盤１では、例えば、第１の端子台ＴＢ１、第２の端子台ＴＢ２、および第３の端子台ＴＢ３が設置されている。これらの端子台ＴＢ１〜ＴＢ３の配線４の接続例として、第１の端子台ＴＢ１の接続口番号＃１および＃２の配線接続口２ａと第２の端子台ＴＢ２の接続口番号＃１および＃２の配線接続口２ｂとがそれぞれ接続されている。また、第１の端子台ＴＢ３の接続口番号＃３の配線接続口２ａと第３の端子台ＴＢ３の接続口番号＃１の配線接続口２ｂとが接続されている。
【００２１】
図２に例示される制御盤１において、例えば、第１の端子台ＴＢ１および第２の端子台ＴＢ２の接続口番号＃１のチェック用接続口３に、それぞれ通電ケーブル５を接続し、この通電ケーブル５に電圧を印加することで、第１の端子台ＴＢ１および第２の端子台ＴＢ２では、通電ケーブル５が接続される接続口番号＃１と同じ接続口番号＃１の配線接続口２ａ，２ｂに電圧が印加され、第１の端子台ＴＢ１の接続口番号＃１と第２の端子台ＴＢ２の接続口番号＃１との間の通電状態がチェックされる。通電ケーブル５の接続位置（接続口番号）は、配線検査を行う箇所に応じて変更される。
【００２２】
ここで、図１に戻り、配線検査システム１０の各構成要素である配線検査端末１１、配線検査補助端末１２、およびＰＣ１３について説明する。
【００２３】
配線検査端末１１は、配線検査を実行する主端末であり、少なくとも、電圧を印加する電圧印加部１１ａと、通電ケーブル５に電圧が印加された後に、電圧が印加された箇所（配線４が結線される両端）の通電状況を判定する通電判定部１１ｂと、配線検査端末１１の動作に必要な電力を供給する電源部１１ｃと、接続されるＰＣ１３とのインターフェースであるＰＣ接続部１１ｄと、配線検査端末１１において実行される処理を制御する制御部１１ｅとを備える。
【００２４】
電源部１１ｃは、例えば、充電可能なバッテリーを有しており、ＰＣ接続部１１ｄがＰＣ１３と接続されている場合、ＰＣ１３から電力供給を受けて、当該バッテリーを充電することができる。
【００２５】
また、図１に例示される配線検査システム１０における配線検査端末１１は、拡張的な機能を提供するため、ユーザからの操作の入力を受け付ける入力部１１ｆと、検査対象や検査結果などの情報を表示する表示手段としての表示部１１ｇと、配線検査補助端末１２とのインターフェースである補助端末接続部１１ｈとを備える。
【００２６】
配線検査補助端末１２は、配線検査端末１１（主端末）に対する補助端末であり、例えば、電圧を印加する電圧印加部１２ａと、通電ケーブル５に電圧が印加された後の通電状況を判定する通電判定部１２ｂと、配線検査補助端末１２の動作に必要な電力を供給する電源部１２ｃと、接続される配線検査端末１１とのインターフェースである端末接続部１２ｈと、ユーザからの操作の入力を受け付ける入力部１２ｆと、検査対象や検査結果などの情報を表示する表示部１２ｇと、配線検査補助端末１２において実行される処理を制御する制御部１２ｅとを備える。
【００２７】
配線検査補助端末１２が備える電圧印加部１２ａ、通電判定部１２ｂ、電源部１２ｃ、入力部１２ｆ、および表示部１２ｇは、それぞれ、配線検査端末１１が備える電圧印加部１１ａ、通電判定部１１ｂ、電源部１１ｃ、入力部１１ｆ、および表示部１１ｇと同様の機能を有する。
【００２８】
また、端末接続部１２ｈは、補助端末接続部１１ｈに対して、接続相手となる端末が配線検査補助端末１２ではなく配線検査端末１１である点で相違するものの、接続相手との接続インターフェースとしての機能を提供する構成要素という点で共通する。
【００２９】
なお、配線検査端末１１および配線検査補助端末１２は、必須の機能を有していれば、そのハードウェア構成については任意である。例えば、配線検査補助端末１２において、タッチパネル式のディスプレイを適用する等して、入力部１２ｆおよび表示部１２ｇを一つのハードウェアで実現してもよいし、入力部１２ｆおよび表示部１２ｇを、それぞれ、入力装置およびタッチパネル式でないディスプレイの二つのハードウェアで実現してもよい。
【００３０】
ＰＣ１３は、基本プログラムであるＯＳ１５と、このＯＳ１５上で動作し、ＰＣ１３に接続される配線検査端末１１および配線検査補助端末１２を制御して配線検査を実行する機能を有する配線検査アプリケーション（応用プログラム）１６とがインストールされている。ＰＣ１３は、配線検査アプリケーション１６を実行することで、配線検査端末１１および配線検査補助端末１２を制御する機能を提供する。すなわち、ＰＣ１３は、配線検査システム１０（配線検査端末１１および配線検査補助端末１２）を制御する制御手段（以下、単に「システム制御手段」とする。）として動作し、配線検査端末１１および配線検査補助端末１２が制御されて配線検査が行われる。
【００３１】
図３は、図１に例示されるＰＣ１３、すなわち、システム制御手段の機能ブロック図である。
【００３２】
ＰＣ１３は、キーボードなど、ユーザによる操作に基づき情報の入力を受け付ける入力部１３ａと、ディスプレイなどの情報を表示出力する表示部やプリンタなどの情報を印字出力する印字部などの情報を出力する出力部１３ｂと、情報を保持する領域を提供する記憶部１３ｃと、外部装置とのとのインターフェースであるインターフェース部（以下、「Ｉ／Ｆ部」とする。）１３ｄと、入力部１３ａ、出力部１３ｂ、記憶部１３ｃ、およびＩ／Ｆ部１３ｄとの間で情報を伝達し、ＰＣ１３全体を制御する制御部１３ｅとを備える。
【００３３】
記憶部１３ｃは、情報の読み出し（リード）および書き込み（ライト）が可能な記憶領域を有する。図１に例示される配線検査システム１０では、ＰＣ１３が配線検査アプリケーション１６を実行することで、記憶部１３ｃに、ＰＣ１３と伝送可能に接続される配線検査端末１１および配線検査補助端末１２から読み出し可能な配線データベース（以下、データベースを「ＤＢ」と省略する。）１８とロケーションＤＢ１９とが保持される。配線ＤＢ１８およびロケーションＤＢ１９が有する情報が被検査対象の配線検査を実行するために必要となる場合、配線検査端末１１および配線検査補助端末１２は、記憶部１３ｃにアクセスして、配線ＤＢ１８およびロケーションＤＢ１９から必要な情報を取得する。
【００３４】
なお、配線検査システム１０では、記憶部１３ｃに配線結果を書き込むこともでき、配線結果を電子データとして記憶しておくこともできる。
【００３５】
配線ＤＢ１８は、被検査対象の配線接続を示す情報（配線接続情報）を有する。図１に例示される配線検査システム１０の場合、配線ＤＢ１８は、被検査対象としての制御盤１、すなわち、３台の端子台ＴＢ１，ＴＢ２，ＴＢ３間の配線接続情報を有している。従って、２台の端子台を検索キーとして与えれば、当該２台の端子台間に接続される配線を検索（抽出）することができる。
【００３６】
配線ＤＢ１８が有する端子台ＴＢ１，ＴＢ２，ＴＢ３間の配線接続情報は、例えば、検査する配線の選択を受け付けるチェックボックス４１ａ、接続される端子間を表示する表示欄４１ｂ、および検査結果を表示する表示欄４１ｃなどを有する配線検査画像としての画像４１（図４）を生成するために使用される。画像４１（図４）は、例えば、初期画面として表示部１１ｇ，１２ｇに表示される。
【００３７】
ロケーションＤＢ１９は、配線検査を実施している端子台の制御盤１における位置を示す情報（ロケーション情報）を有する。
【００３８】
図１に例示される配線検査システム１０の場合、ロケーションＤＢ１９は、制御盤１に配置される３台の端子台ＴＢ１，ＴＢ２，ＴＢ３および端子台ＴＢ１，ＴＢ２，ＴＢ３の接続口番号＃１〜＃８の位置情報を有している。ロケーションＤＢ１９が有する位置情報は、配線検査する端子台および接続口番号を視覚的にユーザへ提供するロケーション画像としての画像４３（図５）を生成するために使用される。画像４３（図５）は、例えば、画像４１（図４）と同じ画面上、または別画面上に表示される。
【００３９】
図４は配線検査システム１０で表示される配線検査画像の一例を示す画像４１の説明図であり、図５は配線検査システム１０で表示されるロケーション画像の一例を示す画像４３の説明図である。
【００４０】
図４に例示される画像４１は、検査する配線の選択を受け付けるチェックボックス４１ａ、配線が接続される端子間（接続情報）を表示する表示欄４１ｂ、および検査結果を表示する表示欄４１ｃと、通電実行の指令を受け付ける通電ボタン（配線検査端末１１または配線検査補助端末１２へ通電実行の指令を与えるアイコン）４１ｄと、通電停止の指令を受け付ける通電停止ボタン（配線検査端末１１または配線検査補助端末１２へ通電停止の指令を与えるアイコン）４１ｅとを有している。
【００４１】
ここで、図４に示される「ＴＢｘ−ｙ」（但し、図２に例示される被検査対象の場合、１≦ｘ≦３，１≦ｙ≦８を満たす整数）は、「第ｘの端子台ＴＢｘの接続口番号＃ｙの配線接続口２（図２）」を示す。従って、図４に示される表示欄４１ｂの最上列の「ＴＢ１−１」および「ＴＢ２−１」は、それぞれ、「第１の端子台ＴＢ１の接続口番号＃１の配線接続口２」および「第２の端子台ＴＢ２の接続口番号＃１の配線接続口２」を示しており、表示欄４１ｂの最上列は、両配線接続口２が配線４（図２）によって接続されることを意味する。
【００４２】
画像４１では、配線検査される対象となり得る全ての配線が表示欄４１ｂに一覧化され、各配線に対応するチェックボックス４１ａが表示欄４１ｂの左側等の所定位置に設けられている。ユーザは、配線検査を行う場合、入力部１１ｆ（または入力部１２ｆ）から入力操作して、検査したい配線に対応するチェックボックス４１ａにてチェック（レ点）を入れる。
【００４３】
その後、通電ボタン４１ｄを押す（通電実行の指令を与えるアイコンを選択する）と、通電ケーブル５と接続される配線検査端末１１の電圧印加部１１ａ（または配線検査補助端末１２の電圧印加部１２ａ）が、チェック（レ点）が入れられた配線４が接続される配線接続口２に電圧を印加し、当該配線４への通電を開始する。なお、通電を停止したい場合には通電停止ボタン４１ｅを押せば（通電停止の指令を与えるアイコンを選択する）、電圧印加部１１ａ（または配線検査補助端末１２の電圧印加部１２ａ）が電圧の印加を停止する。
【００４４】
配線４が正しく結線されている場合には配線４が通電する一方、配線接続口２への接続不良や接続位置（端子台や接続口番号）が間違っている場合には配線４は通電しない。これを利用して通電判定部１１ｂ（または通電判定部１２ｂ）が配線４への通電状況を確認することで、配線４が適切に結線されている（良）か否（不良）かを判定する。
【００４５】
通電判定部１１ｂ（または通電判定部１２ｂ）は、電圧が印加された配線４が通電しているか否かを判定した判定結果を制御部１１ｅ（または制御部１２ｅ）へ送る。制御部１１ｅ（または制御部１２ｅ）は、通電している旨の判定結果である場合には配線４が適切に結線されている（良）と判定し、表示欄４１ｃの通電結果を「ＯＫ」とし、通電していなければ配線４が適切に結線されていない（不良）であると判定し、表示欄４１ｃの通電結果を「ＮＧ」とする。なお、「未」の表示は、配線検査が実施されていない（未実施である）ことを示している。
【００４６】
一方、図５に例示される画像４３は、制御盤１内のレイアウト、すなわち、制御盤１に配置される３台の端子台ＴＢ１，ＴＢ２，ＴＢ３および端子台ＴＢ１，ＴＢ２，ＴＢ３の接続口番号＃１〜＃８の位置を示す画像である。
【００４７】
画像４３では、例えば、配線検査が実施（電圧が印加）されている配線４ａが強調されて表示（図５において破線で表示）され、配線検査が実施（電圧が印加）されていないその他の配線４ｂが通常通りに表示（図５において実線で表示）される。
【００４８】
配線４ａの表示を強調する手法としては、配線４ａをその他の配線４ｂよりも太く表示する、配線４ａを点滅表示する、配線４ａの色をその他の配線４ｂの色と違えて表示する等の一般的な強調手法を採用できる。なお、配線検査が実施（電圧が印加）されている配線４ａの強調表示は任意であり、場合によってその他の配線４ｂと区別することなく表示されていてもよい。また、強調表示を配線４ａに限らず、通電ケーブル５が接続される端子台（図５に例示される画像４３では、第１の端子台ＴＢ１と第２の端子台ＴＢ２）に適用してもよい。
【００４９】
このように、配線検査システム１０では、配線検査端末１１（配線検査補助端末１２が配線検査端末１１に接続される場合には配線検査補助端末１２）から検査する配線４が接続されるべき配線接続口２に電圧を印加することで、検査する対象として選択した配線４が正しく結線されているか、および配線４の接触不良や断線が無いかを判定する。
【００５０】
配線４への通電状態を確認することで、配線検査システム１０は、従来、視覚的にはケーブルが所定の端子に接続されているように見えているが、実際には接続されるべき端子との間で接触不良が生じている場合や端子に接続されるべきケーブルが断線している場合にも、配線４の接続不良を検出することができる。従って、配線検査システム１０によれば、従来よりも機械的な配線検査の検査精度をさらに向上させることができる。
【００５１】
また、配線検査システム１０では、実際のレイアウトに則した画像４３がユーザに提示されるので、現在、配線検査を実施している配線４を特定しやすく、また、実際に結線されている状態を確認しやすくなる。すなわち、配線検査に要する人的な作業負担が軽減される。
【００５２】
さらに、現在、配線検査を実施している配線４を強調表示することができるので、現在、配線検査を実施している配線４の特定がさらに容易になる。また、配線検査システム１０では、検査完了、検査実施中、および検査未完了を線種や色を変えて区別して表示するように設定することもできる。この場合、ユーザがより配線検査の実施状況および対象を把握しやすくなる。さらに、配線検査システム１０では、配線検査が完了したものについて、結果が良好なものと不良なものとを区別して表示しするように設定することもできる。この場合、ユーザがより配線検査の実施対象および検査結果を把握しやすくなる。
【００５３】
なお、図１に例示される配線検査システム１０は、配線検査端末１１に配線検査補助端末１２が接続されている例であるが、配線検査補助端末１２は補助的な装置（端末）であり、必ずしも具備されていなくてもよい。すなわち、配線検査システム１０は、配線検査端末１１から直接（配線検査補助端末１２を経由せず）に通電ケーブル５が端子台のチェック用接続口３（図２）に接続される構成を採用することもできる。
【００５４】
また、配線検査補助端末１２を具備する場合において、配線検査端末１１と配線検査補助端末１２との接続は、必ずしも有線でなくてもよい。すなわち、配線検査端末１１と配線検査補助端末１２とが無線で接続されていてもよい。
【００５５】
さらに、図１に例示される配線検査システム１０は、ロケーションＤＢ１９を参照する場合の例であるが、ロケーションＤＢ１９を参照しない構成、すなわち、ロケーションＤＢ１９を省略した構成を採用することもできる。
【００５６】
また、図１に例示される配線検査システム１０では、配線状態がチェックされる配線４が接続される接続口番号と同じ接続口番号のチェック用接続口３に通電ケーブル５を付け替えた後、配線接続口２ａ，２ｂに電圧を印加することで配線検査を行う場合の例であるが、例えば、アダプタ２１（後述する図６）をチェック用接続口３に取り付け、配線検査端末１１または配線検査補助端末１２からアダプタ２１に通電先を切り替える指令（通電切替信号Ｓ）を与えることで通電先となる配線接続口２ａ，２ｂの接続口番号を切り替える等、他の方法によっても、配線接続口２ａ，２ｂに電圧を印加することができる。
【００５７】
図６は、配線検査システム１０で適用されるアダプタ２１を説明する説明図であり、図６（Ａ）がアダプタ２１の端子台への取付状態を示す概略図、図６（Ｂ）がアダプタ２１の構成を示す概略図である。
【００５８】
なお、図６（Ａ）では、配線検査補助端末１２から第１の端子台ＴＢ１および第２の端子台ＴＢ２へは、通電ケーブル５の他に電圧を印加する接続口番号を切り替える通電切替信号を伝送する信号ケーブル７とが接続されるが、図面の煩雑化を防止する観点から１本の実線で示す。
【００５９】
アダプタ２１は、例えば、１個の入力端を有する入力部２１ａと、例えば８個等、取り付ける相手となる端子台の接続口数と同数の出力端を有する出力部２１ｂと、入力部２１ａと出力部２１ｂの出力端とを電気的に接続（導通）させるスイッチ２１ｃと、入力部２１と導通する出力端を切り替える指令をスイッチ２１ｃに与える切替制御部２１ｄと、各出力端と電気的に接続されており、取り付ける相手となる端子台（例えば、第１，２の端子台ＴＢ１，ＴＢ２）に設けられる接続口番号＃１〜＃８の各チェック用接続口３と嵌め合いの関係にある接続ピン２１ｅとを備える。
【００６０】
アダプタ２１は接続ピン２１ｅを介してチェック用接続口３を備える端子台ＴＢ１，ＴＢ２に取り付けられることで、接続ピン２１ｅとチェック用接続口３とが電気的に接続される。従って、配線検査補助端末１２と端子台ＴＢ１，ＴＢ２とは、アダプタ２１を介して電気的に接続される。
【００６１】
アダプタ２１では、信号ケーブル７を介して与えられる通電切替信号Ｓを切替制御部２１ｄが受け取り、受け取る通電切替信号Ｓに基づいて電圧を印加する接続口番号＃１〜＃８とそれぞれ電気的に接続される出力端＃１〜＃８の何れか一つを選択する。すなわち、切替制御部２１ｄがスイッチ２１ｃに指令を与えて、スイッチ２１ｃの出力端側を出力端＃１〜＃８の何れか一つと接触（導通）する位置へ移動させる。
【００６２】
例えば、通電切替信号Ｓが接続口番号＃１を通電先に指定する信号である場合、スイッチ２１ｃの出力端側は出力端＃１と導通する位置へ移動する。この結果、配線検査補助端末１２から出力端＃１と電気的に接続される接続ピン２１ｅまでが電気的に接続され、さらに、接続ピン２１ｅと嵌め合いの関係にあるチェック用接続口３を備える端子台ＴＢ１，ＴＢ２とが電気的に接続される。すなわち、配線検査補助端末１２と、第１の端子台ＴＢ１の接続口番号＃１の配線接続口２および第２の端子台ＴＢ２の接続口番号＃１の配線接続口２とが電気的に接続される。
【００６３】
アダプタ２１を適用する場合、通電先は通電切替信号Ｓにより切り替えられるので、通電ケーブル５および信号ケーブル７の付け替えは不要である。従って、アダプタ２１を適用した配線検査システム１０では、通電ケーブル５を、その都度、配線検査する接続口番号のチェック用接続口３に付け替えることなく、通電先を遠隔（配線検査補助端末１２等）で切り替えることができる。
【００６４】
なお、図６に例示されるアダプタ２１は、切替制御部２１ｄを備えているが、切替制御部２１ｄは、必ずしもアダプタ２１に備えられていなくてもよい。例えば、アダプタ２１の代わりに、配線検査端末１１または配線検査補助端末１２側に切替制御部２１ｄに相当する処理部を追設したり、既存の処理部に切替制御部２１ｄの機能を追加したりしてもよい。
【００６５】
次に、本発明の実施形態に係る配線検査方法について説明する。
【００６６】
本発明の実施形態に係る配線検査方法は、例えば、配線検査手順を実行する配線検査システム１０を用いて行うことができる。そこで、図１に例示される配線検査システム１０が実行する配線検査手順について、被検査対象が図２に例示される制御盤１（端子台ＴＢ１〜ＴＢ３）に配線補助端末１２が通電する場合を例にして説明する。
【００６７】
配線検査手順は、ユーザが配線検査システム１０を起動して初期画面を立ち上げると処理を開始する（ＳＴＡＲＴ）。配線検査手順では、まず、配線補助端末１２と被検査対象となる配線４が接続（結線）される２つの端子台のチェック用接続口３とを通電ケーブル５で接続し、２つの端子台が何れであるかの情報を与えると、配線補助端末１２（制御部１２ｅ）が配線ＤＢ１８にアクセスして当該２つの端子台間の配線接続情報を読み出し、設計仕様上、当該２つの端子台間で接続される全ての配線４を表示する（ステップＳ１）。配線４の表示は、例えば、図４に例示される画像４１を表示することで行うことができる。
【００６８】
続いて、配線補助端末１２（制御部１２ｅ）は、ステップＳ１で表示した全ての配線４から何れの配線４について配線検査を行うかについての選択を受け付ける（ステップＳ２）。配線検査する配線４の選択は、例えば、図４に例示される画像４１のチェックボックス４１ａにチェック（レ点）を入れることで行うことができ、配線補助端末１２は、このチェック（レ点）が入った配線４を配線検査する対象として選択されたものとして受け付ける。
【００６９】
続いて、配線補助端末１２（電圧印加部１２ａ）は、ステップＳ２で選択された配線４が接続されるべき配線接続口２に電圧を印加する（ステップＳ３）。電圧を印加した結果、配線４が通電した場合（ステップＳ４でＹＥＳの場合）、当該配線４は、正しい配線接続口２に接触不良なく適切に結線されていると判定し、良を示す判定結果を表示部１２ｇ等の表示手段に表示する（ステップＳ５）。
【００７０】
一方、電圧を印加したが配線４が通電しなかった場合（ステップＳ４でＮＯの場合）、当該配線４は、配線接続口２の結線間違い、および接触不良の少なくとも一方を生じている、すなわち、適切に結線されていないと判定し、不良を示す判定結果を表示部１２ｇ等の表示手段に表示する（ステップＳ６）。
【００７１】
判定結果が表示部１２ｇ等の表示手段に表示されると（ステップＳ５，Ｓ６）、配線検査手順は全処理ステップを終了する（ＥＮＤ）。
【００７２】
以上、配線検査システム１０および配線検査システム１０を用いた配線検査方法によれば、視覚的な情報からは判断が困難な接触不良やケーブル断線についても機械的に判断することができるので、機械的な配線検査の検査精度をさらに向上させることができる。
【００７３】
また、配線検査システム１０および配線検査システム１０を用いた配線検査方法によれば、配線検査システム１０が配線４の接続状態を判断できるので、配線検査に伴う人的な作業負担はほとんど生じることなく信頼性の高い配線検査を行うことができる。
【００７４】
さらに、配線検査システム１０および配線検査システム１０を用いた配線検査方法によれば、アダプタ２１を装着することで、通電ケーブル５の繋ぎ変えに要する手間をさらに省力化することができ、配線検査に伴う人的な作業負担をより省力化することができる。
【００７５】
さらにまた、配線検査システム１０および配線検査システム１０を用いた配線検査方法によれば、配線検査システム１０に内蔵または脱着可能に接続される記憶媒体を用いる等することで、配線検査の結果を電子情報として保存することができるので、配線検査結果の２次的な活用がより容易になる。
【００７６】
なお、本発明は上述した実施形態そのままに限定されるものではなく、実施段階では、上述した実施例以外にも様々な形態で実施することが可能である。本発明は、発明の要旨を逸脱しない範囲で、種々の省略、追加、置き換え、変更を行うことができる。これら実施形態やその変形は、発明の範囲や要旨に含まれるとともに、特許請求の範囲に記載された発明とその均等の範囲に含まれる。
【符号の説明】
【００７７】
１…制御盤、２（２ａ，２ｂ）…配線接続口、３…チェック用接続口、４…配線、４ａ…（配線検査が実施されている）配線、４ｂ…（配線検査が実施されていない）配線、５…通電ケーブル、７…信号ケーブル、１０…配線検査システム、１１…配線検査端末（主端末）、１１ａ…電圧印加部、１１ｂ…通電判定部、１１ｃ…ＰＣ接続部、１１ｄ…電源部、１１ｅ…制御部、１１ｆ…入力部、１１ｇ…表示部、１１ｈ…補助端末接続部、１２…配線検査補助端末、１２ａ…電圧印加部、１２ｂ…通電判定部、１２ｃ…配線検査端末接続部、１２ｄ…電源部、１２ｅ…入力部、１２ｆ…表示部、１２ｇ…制御部、１３…ＰＣ、１３ａ…入力部、１３ｂ…出力部、１３ｃ…記憶部、１３ｄ…Ｉ／Ｆ部、１３ｅ…制御部、１５…ＯＳ、１６…配線検査アプリケーション、１８…配線ＤＢ、１９…ロケーションＤＢ、２１…アダプタ、２１ａ…入力部、２１ｂ…出力部、２１ｃ…通電切替部、２１ｄ…切替制御部、２１ｅ…接続ピン、４１，４３…画像、４１ａ…チェックボックス、４１ｂ…表示欄、４１ｃ…表示欄、４１ｄ…通電ボタン、４１ｅ…通電停止ボタン、ＴＢ１，ＴＢ２，ＴＢ３…端子台、Ｓ…通電切替信号。
【図１】
2016133410.tif 000003
【図２】
2016133410.tif 000004
【図３】
2016133410.tif 000005
【図４】
2016133410.tif 000006
【図５】
2016133410.tif 000007
【図６】
2016133410.tif 000008
【図７】
2016133410.tif 000009